(57)【要約】【課題】パウダを含有する内容物を噴射する場合にも、スクリュ溝で詰まりを生ずるおそれのない噴出器用噴射釦、噴出器用噴射装置、および噴出器を提供する。【解決手段】釦本体２０に、下向きに開口する中心穴２５と連通して外周に向けて開口し、ノズル取付凹部２６を設ける。ノズル取付凹部は、凹部中心位置に、釦中心側から開口方向に向けてセンターポスト２８を突出する。他方、噴射孔１５を有する頭部３１とその頭部で一方の開口を塞ぐ筒部３２とからなるキャップ状をなすノズル部材１６に、頭部の内面に噴射孔に通ずるスクリュ溝３４を形成する。そして、ノズル部材を、内部にセンターポストを入り込ませてノズル取付凹部にはめ込んでなる。このとき、ノズル部材の頭部内面とセンターポストの頂面との間に、少なくとも０．５ｍｍを越える隙間ｇを設けてなる。【選択図】図５
2008200576.tif 000002
【特許請求の範囲】
【請求項１】
下向きに開口する中心穴と連通して外周に向けて開口し、凹部中心位置に釦中心側から開口方向に向けてセンターポストを突出するノズル取付凹部を設け、
噴射孔を有する頭部とその頭部で一方の開口を塞ぐ筒部とからなるキャップ状をなし、前記頭部の内面に前記噴射孔に通ずるスクリュ溝を形成するノズル部材を、内部に前記センターポストを入り込ませて前記ノズル取付凹部にはめ込んでなる、噴出器用噴射釦において、
前記頭部の内面と前記センターポストの頂面との間に、少なくとも０．５ｍｍを越える隙間を設けてなることを特徴とする、噴出器用噴射釦。
【請求項２】
前記隙間を、３．０ｍｍ以下としてなることを特徴とする、請求項１に記載の噴出器用噴射釦。
【請求項３】
前記ノズル取付凹部に、その開口方向に向けて外向きの段部を形成する一方、前記ノズル部材に、前記頭部と前記筒部とで突き当て段部を形成して、前記ノズル部材を前記ノズル取付凹部にはめ込んだとき前記外向きの段部に前記突き当て段部を突き当てて前記隙間を規定してなることを特徴とする、請求項１または２に記載の噴出器用噴射釦。
【請求項４】
上向きに突出して噴出管を備え、その噴出管の先端を前記中心穴にはめ付けて前記噴出管に、請求項１ないし３のいずれか１に記載の噴出器用噴射釦を取り付けてなることを特徴とする、噴出器用噴射装置。
【請求項５】
請求項４に記載の噴出器用噴射装置を容器の口部に取り付け、その容器内に、前記隙間より小さな大きさのパウダを含有する内容物を収容してなることを特徴とする、噴出器。
【請求項６】
容器から突出して設ける噴出管の先端に、請求項１ないし３のいずれか１に記載の噴出器用噴射釦を取り付けてなることを特徴とする、噴出器。
【発明の詳細な説明】
【技術分野】
【０００１】
この発明は、容器から突出する噴出管の先端に噴射釦を取り付け、その噴射釦を押し下げたり容器をつぶしたりしたとき、パウダを含有して容器内に収容する内容物を噴出管を通して吐出し、噴射釦の噴射孔から外部に向けて噴霧する、化粧用・薬用・洗浄用・塗装用などの噴出器に関する。および、そのような噴出器において、容器の口部に取り付けるエアゾール式やポンプ式の噴出器用噴射装置に関する。および、噴出器において、容器から突出して設ける噴出管の先端に取り付ける噴出器用噴射釦に関する。
【背景技術】
【０００２】
従来、例えばエアゾール式の噴出器では、図６に示すように、容器１の口部にエアゾール式の噴射装置２を取り付けていた。噴射装置２には、上向きに突出して噴出管３を備え、その噴出管３の先端を噴射釦４の中心穴４ａにはめ付けて噴出管３に噴射釦４を取り付けていた。噴射釦４には、下向きに開口する中心穴４ａと連通して外周に向けて開口し、ノズル取付凹部４ｃを設けてなる。ノズル取り付け凹部４ｃ内には、凹部中心位置に釦中心側から開口方向に向けてセンターポスト４ｂを突出していた。
【０００３】
ノズル取付凹部４ｃには、ノズル部材５をはめ付けてなる。すなわち、ノズル部材５の内部にセンターポスト４ｂを入り込ませて、ノズル部材５の頭部６の内面をセンターポスト４ｂの頂面に突き当ててノズル取付凹部４ｃにノズル部材５をはめ付け、ノズル取付凹部４ｃの内周面に外周突起５ａを掛け止めて抜け止めしていた。ノズル部材５は、中心に噴射孔６ａを有する頭部６と、その頭部６で一方の開口を塞ぐ筒部７とからなるキャップ状をなし、頭部６の内面に噴射孔６ａに通ずるスクリュ溝８を形成してなる。
【０００４】
【特許文献１】特開２００３−２７５６３５号公報
【発明の開示】
【発明が解決しようとする課題】
【０００５】
ところが、このような従来の噴出器にあっては、ノズル部材５の頭部６内面をセンターポスト４ｂの頂面に突き当ててノズル取付凹部４ｃ内にノズル部材５をはめ付けるから、頭部６の内面とセンターポスト４ｂの頂面とが密着していた。このため、噴射釦４を押し下げて噴出管３を押し込むことにより容器１の内容物を噴出管３から吐出し、噴射釦４の中心穴４ａからスクリュ溝８を通して噴射孔６ａに導き、その噴射孔６ａから外部に向けて噴霧するとき、スクリュ溝８で内容物に含有するパウダが詰まり、噴射不良を生ずることがあった。
【０００６】
そこで、この発明の目的は、パウダを含有する内容物を噴射する場合にも、スクリュ溝で詰まりを生ずるおそれのない噴出器用噴射釦、噴出器用噴射装置、および噴出器を提供することにある。
【課題を解決するための手段】
【０００７】
そのため、請求項１に記載の発明は、下向きに開口する中心穴と連通して外周に向けて開口し、凹部中心位置に釦中心側から開口方向に向けてセンターポストを突出するノズル取付凹部を設け、
噴射孔を有する頭部とその頭部で一方の開口を塞ぐ筒部とからなるキャップ状をなし、前記頭部の内面に前記噴射孔に通ずるスクリュ溝を形成するノズル部材を、内部に前記センターポストを入り込ませて前記ノズル取付凹部にはめ込んでなる、噴出器用噴射釦において、
前記頭部の内面と前記センターポストの頂面との間に、少なくとも０．５ｍｍを越える隙間を設けてなることを特徴とする。
【０００８】
そして、請求項１に記載の噴出器用噴射釦は、容器から突出する噴出管の先端を中心穴にはめ付けることにより噴出管に取り付けて使用し、噴射釦を押し下げたり容器をつぶしたりしたとき、パウダを含有して容器内に収容する内容物を、噴出管を通して吐出し、噴射釦の中心穴から、ノズル部材の頭部内面とセンターポストの頂面との間の隙間、およびノズル部材の頭部内面に形成するスクリュ溝を通して噴射孔に導き、その噴射孔から外部に向けて噴霧する。
【０００９】
請求項２に記載の発明は、請求項１に記載の噴出器用噴射釦において、隙間を、３．０ｍｍ以下としてなることを特徴とする。
【００１０】
請求項３に記載の発明は、請求項１または２に記載の噴出器用噴射釦において、前記ノズル取付凹部に、その開口方向に向けて外向きの段部を形成する一方、前記ノズル部材に、前記頭部と前記筒部とで突き当て段部を形成して、前記ノズル部材を前記ノズル取付凹部にはめ込んだとき前記外向きの段部に前記突き当て段部を突き当てて前記隙間を規定してなることを特徴とする。
【００１１】
請求項４に記載の発明は、上向きに突出して噴出管を備え、その噴出管の先端を前記中心穴にはめ付けて前記噴出管に、請求項１ないし３のいずれか１に記載の噴出器用噴射釦を取り付けてなることを特徴とする、噴出器用噴射装置である。
【００１２】
請求項５に記載の発明は、請求項４に記載の噴出器用噴射装置を容器の口部に取り付け、その容器内に、前記隙間より小さな大きさのパウダを含有する内容物を収容してなることを特徴とする、化粧用・薬用等の噴出器である。
【００１３】
請求項６に記載の発明は、容器から突出して設ける噴出管の先端に、請求項１ないし３のいずれか１に記載の噴出器用噴射釦を取り付けてなることを特徴とする、化粧用・薬用等の噴出器である。
【発明の効果】
【００１４】
請求項１ないし３に記載の発明による噴出器用噴射釦によれば、ノズル部材の頭部内面とセンターポストの頂面との間に、少なくとも０．５ｍｍを越える隙間を設け、噴出管に取り付けて使用し、噴射釦を押し下げたり容器をつぶしたりしたとき、容器の内容物を噴出管から吐出し、噴射釦の中心穴から、ノズル部材とセンターポストとの隙間、およびノズル部材のスクリュ溝を通して噴射孔に導き、その噴射孔から噴霧するので、ノズル部材の頭部内面とセンターポストの頂面との間の通路を十分広くして、内容物にパウダを含有する場合にも、パウダがスクリュ溝で詰まりを生ずるおそれをなくし、常に内容物を隙間およびスクリュ溝を通過して噴射孔から外部に向けて確実に噴射することができる。
【００１５】
また、ノズル部材の頭部内面とセンターポストの頂面との間に隙間を設けることにより形成した空間で、噴射孔から噴射する内容物を十分にかき混ぜるので、内容物内でパウダを等しく分散して被噴射物に対してパウダを均一に塗布することができる。加えて、ノズル部材の頭部内面とセンターポストの頂面との間の通路を広げることにより、噴射孔から噴射する内容物の勢いを弱め、患部等の被噴射部位に噴射したときに人が感ずる冷感を低減することができる。
【００１６】
請求項２に記載の発明による噴出器用噴射釦によれば、ノズル部材の頭部内面とセンターポストの頂面との間の隙間を、３．０ｍｍ以下としてなるので、さらに、ミスト状態を確保しながら、内容物を噴射孔から外部に向けて噴射することができる。
【００１７】
請求項３に記載の発明による噴出器用噴射釦によれば、ノズル部材をノズル取付凹部にはめ込んだとき、ノズル取付凹部の外向きの段部にノズル部材の突き当て段部を突き当てて隙間を規定してなるので、さらに、ノズル部材の頭部内面とセンターポストの頂面との間の隙間をばらつきなくつくることができる。
【００１８】
請求項４に記載の発明による噴出器用噴射装置によれば、上向きに突出して備える噴出管の先端を中心穴にはめ付けて噴出管に、請求項１ないし３のいずれか１に記載の噴出器用噴射釦を取り付けてなるので、噴射釦のノズル部材の頭部内面とセンターポストの頂面との間に、少なくとも０．５ｍｍを越える隙間を設け、容器の口部に取り付けて使用し、噴射釦を押し下げたり容器をつぶしたりしたとき、容器の内容物を噴出管から吐出し、噴射釦の中心穴から、ノズル部材とセンターポストとの隙間、およびノズル部材のスクリュ溝を通して噴射孔に導き、その噴射孔から噴霧するので、同様に、ノズル部材の頭部内面とセンターポストの頂面との間の通路を十分広くして、内容物にパウダを含有する場合にも、パウダがスクリュ溝で詰まりを生ずるおそれをなくし、常に内容物を隙間およびスクリュ溝を通過して噴射孔から外部に向けて確実に噴射することができる。
【００１９】
また、噴射釦のノズル部材の頭部内面とセンターポストの頂面との間に隙間を設けることにより形成した空間で、噴射孔から噴射する内容物を十分にかき混ぜるので、内容物内でパウダを等しく分散して被噴射物に対してパウダを均一に塗布することができる。加えて、ノズル部材の頭部内面とセンターポストの頂面との間の通路を広げることにより、噴射孔から噴射する内容物の勢いを弱め、患部等の被噴射部位に噴射したときに人が感ずる冷感を低減することができる。
【００２０】
請求項５に記載の発明による噴出器によれば、請求項４に記載の噴出器用噴射装置を容器の口部に取り付け、その容器内に、隙間より小さな大きさのパウダを含有する内容物を収容してなるので、また請求項６に記載の発明による噴出器によれば、容器から突出して設ける噴出管の先端に、請求項１ないし３のいずれか１に記載の噴出器用噴射釦を取り付けてなるので、噴射釦を押し下げたり容器をつぶしたりしたとき、容器の内容物を噴出管から吐出し、噴射釦の中心穴から、ノズル部材とセンターポストとの隙間、およびノズル部材のスクリュ溝を通して噴射孔に導き、その噴射孔から噴霧するので、同様に、ノズル部材の頭部内面とセンターポストの頂面との間の通路を十分広くして、内容物にパウダを含有する場合にも、パウダがスクリュ溝で詰まりを生ずるおそれをなくし、常に内容物を隙間およびスクリュ溝を通過して噴射孔から外部に向けて確実に噴射することができる。
【００２１】
また、噴射釦のノズル部材の頭部内面とセンターポストの頂面との間に隙間を設けることにより形成した空間で、噴射孔から噴射する内容物を十分にかき混ぜるので、内容物内でパウダを等しく分散して被噴射物に対してパウダを均一に塗布することができる。加えて、ノズル部材の頭部内面とセンターポストの頂面との間の通路を広げることにより、噴射孔から噴射する内容物の勢いを弱め、患部等の被噴射部位に噴射したときに人が感ずる冷感を低減することができる。
【発明を実施するための最良の形態】
【００２２】
以下、図面を参照しつつ、この発明の実施の最良形態につき説明する。
図１にはこの発明による噴出器を正面から見て示し、図２にはその噴出器を横から見て示す。
【００２３】
図中符号１０は、容器である。容器１０には、パウダを含有する化粧用・薬用・洗浄用・塗装用などの内容物を収容してなり、その口部１１に噴射装置１２を取り付けてなる。噴射装置１２には、上向きに突出して噴出管（図５の符号１３参照）を備え、その噴出管の先端に噴射釦１４を取り付けてなる。噴射釦１４には、詳しくは後述するごとく、噴射孔１５を有するノズル部材１６が取り付けられている。そして、その噴射釦１４を被うように、容器１０の上に化粧キャップ１７を被せてなる。化粧キャップ１７には、噴射釦１４を押し下げることができるように、幅広な縦溝１８が形成されている。
【００２４】
これにより、容器１０を手で持って噴射孔１５を、被噴射物や、人の患部等の被噴射部位に向け、指を上から噴射釦１４に掛けて、図２中鎖線で示すように噴射釦１４を、例えば３ｍｍほど押し下げ、噴射管を押し込む。すると、内容物を噴出管を通して吐出し、噴射孔１５から外部に向けて噴射することができる。
【００２５】
ところで、図示例では、容器１０内に内容物を噴射剤とともに収容し、噴射釦１４を押し下げて噴射管を押し込んだとき、弁を開いて容器の内容物を噴射剤の圧力で押し上げて噴出管を通して噴射孔１５から噴射するエアゾール式の噴射装置１２を使用した。しかし、エアゾール式の噴射装置に限らず、噴射釦を押し下げて噴射管を押し込んだとき、ポンプ室の内容物を噴出管を通して吐出し、噴射孔から噴射するとともに、その後噴射釦から手を離して噴射釦が付勢力に基づき復帰するとき、容器の内容物をポンプ室に吸い上げるポンプ式の噴射装置を用いることもできる。さらには、容器から突出して設ける噴射管の先端に、噴射釦を取り付け、容器をつぶして容器の内容物を押し出し、噴出管を通して吐出して噴射釦内に導き、噴射孔から噴射する押し出し式の噴射装置を使用することもできる。
【００２６】
図３には、図１および図２に示す噴出器で使用する噴射釦１４の釦本体の中央縦断面を示す。
【００２７】
釦本体２０は、頂部２１を有する筒状で、頂面の円形指当て部には全体に滑り止として複数の平行溝２２を形成してなる。釦本体２０の内部には、頂部２１の中心から下向きに短筒部２３を突出するとともに、その短筒部２３の外周から径方向に外筒までのびる横向き筒部２４を頂部２１の内面にそれと一体に形成してなる。短筒部２３には、内部に、下向きに開口して縦向きの中心穴２５を設ける一方、横向き筒部２４には、内部に、中心穴２５と連通して外周に向けて開口する横穴状のノズル取付凹部２６を設けてなる。ノズル取付凹部２６には、開口を大径として開口近くに開口方向に向けて外向きの段部２７を形成してなり、またノズル取付凹部２６の凹部中心ｃ２位置に釦中心ｃ１側、すなわち短筒部２３側から開口方向に向けて円柱状のセンターポスト２８を突出して形成してなる。
【００２８】
図４（Ａ）には釦本体２０にはめ付けるノズル部材１６の縦断面を示し、（Ｂ）にはそのノズル部材１６を右から見て示す。
【００２９】
図示するとおり、ノズル部材１６は、真ん中に直径が０．６ｍｍ程度の噴射孔１５を有する円形の頭部３１と、その頭部３１で一方の開口を塞ぐ筒部３２とからなるキャップ状をなす。頭部３１の外径は、筒部３２の外径よりも大きくし、頭部３１と筒部３２とで突き当て段部３３を形成してなる。頭部３１の内面には、外周からまっすぐに中心に向かい噴射孔１５に通ずるスクリュ溝３４を複数形成してなる。この例では、１つのスクリュ溝３４の幅は０．４ｍｍとし、深さは０．３ｍｍとする。一方、筒部３２は、外周に周方向に外周突起３５を設け、また内周に軸方向に細長な平面部３６を周方向に間隔をあけて複数設けてなる。
【００３０】
図５には、図３に示す釦本体２０のノズル取付凹部２６に、図４（Ａ）および（Ｂ）に示すノズル部材１６をはめ込んだ状態を示す。
【００３１】
図示するように、筒部３２内にセンターポスト２８を入り込ませてセンターポスト２８の外周を筒部３２の平面部３６に当て、外周突起３５をノズル取付凹部２６の内周に掛けて抜け止めし、釦本体２０のノズル取付凹部２６にノズル部材１６をはめ込み、外向きの段部２７に突き当て段部３３を突き当てて、頭部３１の内面とセンターポスト２８の頂面との間に隙間ｇを設けてなる。この隙間ｇは、少なくとも０．５ｍｍを越えるようにし、３．０ｍｍ以下であることが好ましい。この例では、隙間ｇを１．６ｍｍとしている。そして、エアゾール式噴射装置１２から上向きに突出して備える噴出管１３の先端を中心穴２５にはめ付けて噴出管１３の先端に噴射釦１４を取り付けてなる。
【００３２】
故に、噴射釦１４において、ノズル部材１６の頭部３１内面とセンターポスト２８の頂面との間に、少なくとも０．５ｍｍを越える隙間ｇを設け、噴出管１３に取り付けて使用し、噴射釦１４を押し下げたとき、容器１０の内容物を噴出管１３から吐出し、噴射釦１４の中心穴２５から、ノズル部材１６とセンターポスト２８との隙間ｇ、およびノズル部材１６のスクリュ溝３４を通して噴射孔１５に導き、その噴射孔１５から噴霧するので、ノズル部材１６の頭部３１内面とセンターポスト２８の頂面との間の通路を十分広くして、内容物にパウダを含有する場合にも、パウダがスクリュ溝３４で詰まりを生ずることなく、常に内容物を隙間ｇおよびスクリュ溝３４を通過して噴射孔１５から外部に向けて確実に噴射することができる。
【００３３】
また、ノズル部材１６の頭部３１内面とセンターポスト２８の頂面との間に隙間ｇを設けることにより形成した図５中符号ｓで示す空間で、噴射孔１５から噴射する内容物を十分にかき混ぜるので、内容物内でパウダを等しく分散して被噴射物に対してパウダを均一に塗布することができる。加えて、ノズル部材１６の頭部３１内面とセンターポスト２８の頂面との間の通路を広げることにより、噴射孔１５から噴射する内容物の勢いを弱め、患部等の被噴射部位に噴射したときに人が感ずる冷感を低減することができる。
【図面の簡単な説明】
【００３４】
【図１】この発明による噴出器の正面図である。
【図２】図１に示す噴出器の側面図である。
【図３】図１および図２に示す噴出器で使用する噴射釦の釦本体の中央縦断面図である。
【図４】（Ａ）はその釦本体にはめ付けるノズル部材の縦断面図、（Ｂ）はその右側面図である。
【図５】図３に示す釦本体のノズル取付凹部に、図４（Ａ）および（Ｂ）に示すノズル部材をはめ込んだ状態の拡大断面図である。
【図６】従来の噴出器において噴出管に取り付けた噴射釦を断面にして示す部分断面図である。
【符号の説明】
【００３５】
１０    容器
１１    口部
１２    噴射装置
１３    噴出管
１４    噴射釦
１５    噴射孔
１６    ノズル部材
１７    化粧キャップ
２０    釦本体
２５    中心穴
２６    ノズル取付凹部
２７    外向きの段部
２８    センターポール
３１    ノズル部材の頭部
３２    ノズル部材の筒部
３３    突き当て段部
３４    スクリュ溝
ｇ      ノズル部材の頭部内面とセンターポストの頂面との間の隙間
ｓ      隙間を設けることにより形成された空間
ｃ１    釦中心
ｃ２    凹部中心
【図１】
2008200576.tif 000003
【図２】
2008200576.tif 000004
【図３】
2008200576.tif 000005
【図４】
2008200576.tif 000006
【図５】
2008200576.tif 000007
【図６】
2008200576.tif 000008